(57)【要約】【課題】接触部と被接触部との間の異物の混入を抑制することができ、検知端子と相手検知端子との導通信頼性を向上することができる嵌合検知コネクタを提供する。【解決手段】接触部３と弾性片５とを有する検知端子７と、第１ハウジング９と、第２ハウジング１１と、第１ハウジング９と第２ハウジング１１との正規嵌合状態で弾性片５の付勢力により接触部３に接触される被接触部１３を有する相手検知端子１５とを備えた嵌合検知コネクタ１において、第２ハウジング１１に、第１ハウジング９と第２ハウジング１１とが正規嵌合状態となるまでの間に検知端子７の接触部３と摺動して弾性片５の付勢力に抗して弾性片５を変位させ、第１ハウジング９と第２ハウジング１１とが正規嵌合状態となったときに検知端子７の接触部３との摺動を解除して弾性片５の付勢力によって接触部３を相手検知端子１５の被接触部１３に接触させる摺動変位部１７を設けた。【選択図】図４
2015026511.tif 000002
【特許請求の範囲】
【請求項１】
接触部が設けられた弾性片を有する検知端子と、この検知端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手検知端子とを備えたコネクタであって、
前記第２ハウジングには、前記第１ハウジングと前記第２ハウジングとが正規嵌合状態となるまでの間に前記検知端子の接触部と摺動して前記弾性片の付勢力に抗して前記弾性片を変位させ、前記第１ハウジングと前記第２ハウジングとが正規嵌合状態となったときに前記検知端子の接触部との摺動を解除して前記弾性片の付勢力によって前記接触部を前記相手検知端子の被接触部に接触させる摺動変位部が設けられていることを特徴とする嵌合検知コネクタ。
【請求項２】
請求項１記載の嵌合検知コネクタであって、
前記第２ハウジングには、前記相手検知端子の被接触部を支持し前記第１ハウジングへの嵌合方向下流側に向けてリブが延設され、前記摺動変位部は、前記リブの先端に設けられていることを特徴とする嵌合検知コネクタ。
【請求項３】
請求項１又は２記載の嵌合検知コネクタであって、
前記摺動変位部には、前記第１ハウジングと前記第２ハウジングとの嵌合方向の両端側にそれぞれ傾斜面が形成されていることを特徴とする嵌合検知コネクタ。
【発明の詳細な説明】
【技術分野】
【０００１】
本発明は、嵌合検知コネクタに関する。
【背景技術】
【０００２】
従来、嵌合検知コネクタとしては、接触部としての接点部が設けられた弾性片としての脚部を有する検知端子としての短絡電極と、この短絡電極を収容する第１ハウジングと、この第１ハウジングに嵌合可能な第２ハウジングと、この第２ハウジングに収容され第１ハウジングと第２ハウジングとの正規嵌合状態で脚部の付勢力により接点部に接触される被接触部としての接触面を有する相手検知端子としての検知電極とを備えたものが知られている（例えば、特許文献１参照）。
【０００３】
この嵌合検知コネクタでは、検知電極が一対設けられており、第１ハウジングと第２ハウジングとの正規嵌合状態で、短絡電極の接点部が脚部の付勢力により一対の検知電極の接触面に接触され、短絡電極を介して一対の検知電極が導通されることによって、第１ハウジングと第２ハウジングとの正規嵌合状態を検知することができる。
【先行技術文献】
【特許文献】
【０００４】
【特許文献１】特開平９−２７４９６７号公報
【発明の概要】
【発明が解決しようとする課題】
【０００５】
ところで、上記特許文献１のような嵌合検知コネクタでは、第１ハウジングと第２ハウジングとが嵌合するときに、検知端子の接触部が相手検知端子の被接触部と摺動することにより、接触部や被接触部に付着していたゴミや埃が押し退けられる構造となっている。
【０００６】
しかしながら、上記特許文献１のように、検知端子の接触部と、相手検知端子の被接触部との摺動によってゴミや埃などの異物を除去する構造では、第１ハウジングと第２ハウジングとが正規嵌合状態となったときに、接触部の近傍に除去された異物が堆積されてしまう。
【０００７】
このため、第１ハウジングと第２ハウジングとにガタなどが生じ、検知端子の接触部が弾性片の付勢力に抗して相手検知端子の被接触部から動いてしまった場合、接触部と被接触部との間に堆積された異物が入り込んでしまい、検知端子と相手検知端子との導通不良を生じる恐れがあった。
【０００８】
そこで、この発明は、接触部と被接触部との間の異物の混入を抑制することができ、検知端子と相手検知端子との導通信頼性を向上することができる嵌合検知コネクタの提供を目的としている。
【課題を解決するための手段】
【０００９】
請求項１記載の発明は、接触部が設けられた弾性片を有する検知端子と、この検知端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手検知端子とを備えたコネクタであって、前記第２ハウジングには、前記第１ハウジングと前記第２ハウジングとが正規嵌合状態となるまでの間に前記検知端子の接触部と摺動して前記弾性片の付勢力に抗して前記弾性片を変位させ、前記第１ハウジングと前記第２ハウジングとが正規嵌合状態となったときに前記検知端子の接触部との摺動を解除して前記弾性片の付勢力によって前記接触部を前記相手検知端子の被接触部に接触させる摺動変位部が設けられていることを特徴とする。
【００１０】
この嵌合検知コネクタでは、第２ハウジングに設けられた摺動変位部が、第１ハウジングと第２ハウジングとが正規嵌合状態となるまでの間に検知端子の接触部と摺動して弾性片の付勢力に抗して弾性片を変位させるので、検知端子の接触部に付着したゴミや埃などの異物を除去することができる。
【００１１】
また、摺動変位部は、第１ハウジングと第２ハウジングとが正規嵌合状態となるまでの間、すなわち相手検知端子の被接触部が検知端子の接触部に接触される前に、接触部に付着した異物を除去するので、第１ハウジングと第２ハウジングとが正規嵌合状態となったときに、接触部と被接触部との近傍に除去された異物が堆積されることがない。
【００１２】
従って、このような嵌合検知コネクタでは、外力などによって検知端子の接触部が相手検知端子の被接触部から動いたとしても、接触部と被接触部との間の異物の混入を抑制することができ、検知端子と相手検知端子との導通信頼性を向上することができる。
【００１３】
一方、第１ハウジングと第２ハウジングとを嵌合させる場合には、第２ハウジングに設けられた摺動変位部によって検知端子の弾性片を変位させることができ、検知端子の接触部と相手検知端子の被接触部とを弾性片の付勢力によって接触、或いは非接触にさせることができる。
【００１４】
このため、摺動変位部による検知端子の弾性片の変位により、第１ハウジングと第２ハウジングとの嵌合状態に合わせて検知端子と相手検知端子との導通状態を操作することができ、第１ハウジングと第２ハウジングとの嵌合状態を確実に検知することができる。
【００１５】
請求項２記載の発明は、請求項１記載の嵌合検知コネクタであって、前記第２ハウジングには、前記相手検知端子の被接触部を支持し前記第１ハウジングへの嵌合方向下流側に向けてリブが延設され、前記摺動変位部は、前記リブの先端に設けられていることを特徴とする。
【００１６】
この嵌合検知コネクタでは、摺動変位部が相手検知端子の被接触部を支持するリブの先端に設けられているので、相手検知端子の被接触部が検知端子の接触部に接触される前に、摺動変位部と検知端子の接触部とを確実に摺動させることができる。
【００１７】
請求項３記載の発明は、請求項１又は２記載の嵌合検知コネクタであって、前記摺動変位部には、前記第１ハウジングと前記第２ハウジングとの嵌合方向の両端側にそれぞれ傾斜面が形成されていることを特徴とする。
【００１８】
この嵌合検知コネクタでは、摺動変位部に第１ハウジングと第２ハウジングとの嵌合方向の両端側にそれぞれ傾斜面が形成されているので、摺動変位部と検知端子の接触部との摺動と摺動解除、及び摺動変位部による検知端子の弾性片の変位をスムーズに行うことができる。
【発明の効果】
【００１９】
本発明によれば、接触部と被接触部との間の異物の混入を抑制することができ、検知端子と相手検知端子との導通信頼性を向上することができる嵌合検知コネクタを提供することができるという効果を奏する。
【図面の簡単な説明】
【００２０】
【図１】本発明の実施の形態に係る嵌合検知コネクタの斜視図である。
【図２】本発明の実施の形態に係る嵌合検知コネクタの第１ハウジングの断面図である。
【図３】（ａ）は本発明の実施の形態に係る嵌合検知コネクタの第２ハウジングの断面図である。（ｂ）は図３（ａ）の要部拡大図である。
【図４】（ａ）は本発明の実施の形態に係る嵌合検知コネクタの第１ハウジングと第２ハウジングとの嵌合途中の断面図である。（ｂ）は図４（ａ）の要部拡大図である。
【図５】本発明の実施の形態に係る嵌合検知コネクタの第１ハウジングと第２ハウジングとの嵌合途中の断面図である。
【図６】本発明の実施の形態に係る嵌合検知コネクタの第１ハウジングと第２ハウジングとの正規嵌合状態の断面図である。
【図７】本発明の実施の形態に係る嵌合検知コネクタの摺動変位部の斜面と検知端子の接触部とが摺動したときの断面図である。
【図８】本発明の実施の形態に係る嵌合検知コネクタの摺動変位部の頂面と検知端子の接触部とが摺動したときの断面図である。
【図９】本発明の実施の形態に係る嵌合検知コネクタの摺動変位部の斜面と検知端子の接触部とが摺動したときの断面図である。
【図１０】本発明の実施の形態に係る嵌合検知コネクタの検知端子の接触部の断面図である。
【発明を実施するための形態】
【００２１】
図１〜図１０を用いて本発明の実施の形態に係る嵌合検知コネクタについて説明する。
【００２２】
本実施の形態に係る嵌合検知コネクタ１は、接触部３が設けられた弾性片５を有する検知端子７と、この検知端子７を収容する第１ハウジング９と、この第１ハウジング９に嵌合可能な第２ハウジング１１と、この第２ハウジング１１に収容され第１ハウジング９と第２ハウジング１１との正規嵌合状態で弾性片５の付勢力により接触部３に接触される被接触部１３を有する相手検知端子１５とを備えている。
【００２３】
そして、第２ハウジング１１には、第１ハウジング９と第２ハウジング１１とが正規嵌合状態となるまでの間に検知端子７の接触部３と摺動して弾性片５の付勢力に抗して弾性片５を変位させ、第１ハウジング９と第２ハウジング１１とが正規嵌合状態となったときに検知端子７の接触部３との摺動を解除して弾性片５の付勢力によって接触部３を相手検知端子１５の被接触部１３に接触させる摺動変位部１７が設けられている。
【００２４】
また、第２ハウジング１１には、相手検知端子１５の被接触部１３を支持し第１ハウジング９への嵌合方向下流側に向けてリブ１９が延設され、摺動変位部１７は、リブ１９の先端に設けられている。
【００２５】
さらに、摺動変位部１７には、第１ハウジング９と第２ハウジング１１との嵌合方向の両端側にそれぞれ傾斜面２１，２３が形成されている。
【００２６】
図１〜図１０に示すように、検知端子７は、薄板状の導電性材料を打ち抜き加工と折り曲げ加工とを施すことにより、基部２５に対して弾性片５と、一対の接触部３，３とが設けられる。なお、検知端子７は、２つの導体間を接続させる短絡端子が用いられることが好ましい。
【００２７】
弾性片５は、基部２５の中央部を折り曲げ加工することにより基部２５と連続する一部材で形成され、所定の付勢力を有して弾性変形可能に設けられている。この弾性片５は、基部２５に対して一対の弾性片５，５となるように設けられ、それぞれの先端部には接触部３，３が設けられている。
【００２８】
一対の接触部３，３は、弾性片５の先端部にそれぞれ半円状となるように折り曲げ形成され、弾性片５の先端部の幅方向に並列に配置されている。この一対の接触部３，３は、弾性片５の付勢力によって第２ハウジング１１に収容された一対の相手検知端子１５，１５の被接触部１３，１３に接触され、検知端子７と一対の相手検知端子１５，１５とを電気的に接続させる。
【００２９】
このような検知端子７は、基部２５の端部が第１ハウジング９のロック部２７の基端側が設けられた壁部に形成された挿入溝２９に挿入されて第１ハウジング９に支持され、弾性片５と一対の接触部３，３とが第１ハウジング９内部の収容室３１内に収容配置される。
【００３０】
第１ハウジング９は、合成樹脂などの絶縁性材料からなり、筐体状に形成され、収容室３１と、ロック部２７とを備えている。収容室３１は、第１ハウジング９内部の高さ方向の上側で幅方向の中央部に設けられ、検知端子７の弾性片５と一対の接触部３，３とが収容配置されている。また、収容室３１のロック部２７の基端側に位置する壁部には、第２ハウジング１１に収容された一対の相手検知端子１５，１５の被接触部１３，１３を支持するリブ１９を挿入可能な開口部３３が設けられている。
【００３１】
一方、収容室３１の高さ方向の下側と幅方向の両側には、電源や機器などに接続された電線３５の端部に加締めなどによって電気的に接続された複数の雌端子３７が収容配置される複数の端子収容部３９が設けられている。
【００３２】
この複数の端子収容部３９に収容された複数の雌端子３７は、係止ランス４１や端子収容部３９に挿入される二重係止部材４３などと係止することによって抜け止めがなされている。このような端子収容部３９の上方に位置する収容室３１の上方には、ロック部２７が設けられている。
【００３３】
ロック部２７は、収容室３１の開口部３３側を基端として収容室３１の上方に揺動可能に設けられ、係止凸部４５を備えている。係止凸部４５は、ロック部２７の上面の中央部に設けられ、第２ハウジング１１との嵌合方向の前側が傾斜面となっており、嵌合方向の後側が垂直面で形成された係止面となっている。
【００３４】
この係止凸部４５は、第１ハウジング９と第２ハウジング１１との嵌合時に、傾斜面が第２ハウジング１１の被ロック部４７と当接することによってロック部２７を下方に向けて揺動させ、第１ハウジング９と第２ハウジング１１との正規嵌合時に、係止面がロック部２７の上方への復元によって被ロック部４７に係止される。
【００３５】
なお、ロック部２７の先端側には、操作部４９が設けられており、操作部４９を下方に向けて押圧操作することによってロック部２７が下方に揺動され、係止凸部４５と被ロック部４７との係止が解除され、第１ハウジング９と第２ハウジング１１との嵌合を解除することができる。
【００３６】
第２ハウジング１１は、合成樹脂などの絶縁性材料からなり、筐体状に形成され、フード部５１と、リブ１９とを備えている。フード部５１は、第１ハウジング９との嵌合方向の前側が開口され、第２ハウジング１１の幅方向に、ここでは３つ設けられ、各フード部５１に第１ハウジング９が嵌合可能となっている。また、フード部５１の開口端には、第１ハウジング９のロック部２７の係止凸部４５が当接及び係止される被ロック部４７が下方に向けて延設されている。このフード部５１内には、リブ１９が設けられている。
【００３７】
リブ１９は、フード部５１内において、一対の相手検知端子１５，１５が挿入される壁部から第１ハウジング９への嵌合方向下流側（フード部５１の開口側）に向けて延設されている。このリブ１９は、フード部５１内に配置される一対の相手検知端子１５，１５の被接触部１３，１３を支持し、第１ハウジング９と第２ハウジング１１とを嵌合させることにより、第１ハウジング９の開口部３３から収容室３１内に挿入される。
【００３８】
一方、フード部５１には、基板５３に接続されたＬ字状の複数の雄端子５５の接続部が収容配置されている。この複数の雄端子５５は、第１ハウジング９と第２ハウジング１１とが正規嵌合状態となることにより、第１ハウジング９に収容された複数の雌端子３７に電気的に接続される。このようなフード部５１内に設けられたリブ１９上には、一対の相手検知端子１５，１５の被接触部１３，１３が配置され、被接触部１３，１３をフード部５１内に保持する。
【００３９】
一対の相手検知端子１５，１５は、導電性材料からなり、Ｌ字状に形成され、一端側が基板５３に接続され、他端側がフード部５１内に挿入されてリブ１９上に支持される被接触部１３，１３となっている。また、被接触部１３，１３は、リブ１９上で、第１ハウジング９と第２ハウジング１１との嵌合方向と直交する方向、詳細にはリブ１９の幅方向に並列に配置されている。
【００４０】
この一対の相手検知端子１５，１５は、基板５３に形成された導通回路にそれぞれ接続され、被接触部１３，１３に検知端子７の一対の接触部３，３がそれぞれ接触することによって検知端子７を介して一対の相手検知端子１５，１５が電気的に接続される。
【００４１】
このような一対の相手検知端子１５，１５は、第１ハウジング９と第２ハウジング１１とが正規嵌合状態となったときに、検知端子７の弾性片５，５の付勢力によって接触部３，３が接触されて導通される。
【００４２】
この一対の相手検知端子１５，１５の導通の有無により、第１ハウジング９と第２ハウジング１１との嵌合状態を検知することができる。このような検知端子７の弾性片５は、リブ１９に設けられた摺動変位部１７によって変位される。
【００４３】
摺動変位部１７は、リブ１９の先端、詳細にはリブ１９の相手検知端子１５の被接触部１３より第１ハウジング９と第２ハウジング１１との嵌合方向の前側に設けられ、検知端子７の一対の接触部３，３と摺動可能なようにリブ１９の幅方向に沿って設けられている。
【００４４】
この摺動変位部１７は、第２ハウジング１１の第１ハウジング９への嵌合方向下流側から上流側（フード部５１の開口側から内部側）に向けて上り傾斜となる傾斜面２１と、第２ハウジング１１の第１ハウジング９への嵌合方向下流側から上流側に向けて下り傾斜となる傾斜面２３と、傾斜面２１，２３間を連結する平面状の頂面５７とを備えている。
【００４５】
このような摺動変位部１７は、まず、第１ハウジング９と第２ハウジング１１とが嵌合を開始し、リブ１９が開口部３３から第１ハウジング９内に挿入されると、傾斜面２１と検知端子７の接触部３とが摺動を開始する。この傾斜面２１と検知端子７の接触部３との摺動により、検知端子７の弾性片５が付勢力に抗して上方に向けて変位を開始する。
【００４６】
次に、第１ハウジング９と第２ハウジング１１とがさらに嵌合し、リブ１９が開口部３３から第１ハウジング９内にさらに挿入されると、頂面５７と検知端子７の接触部３とが摺動を開始する。この頂面５７と検知端子７の接触部３との摺動では、頂面５７が摺動変位部１７において最も高く位置されているので、検知端子７の弾性片５が付勢力に抗して上方に向けて最も変位される。
【００４７】
次に、第１ハウジング９と第２ハウジング１１とがさらに嵌合し、リブ１９が開口部３３から第１ハウジング９内にさらに挿入されると、傾斜面２３と検知端子７の接触部３とが摺動を開始する。この傾斜面２３と検知端子７の接触部３との摺動により、検知端子７の弾性片５が付勢力により下方に向けて変位を開始する。
【００４８】
そして、第１ハウジング９と第２ハウジング１１とが正規嵌合状態となり、リブ１９が開口部３３から第１ハウジング９内に完全に挿入されると、傾斜面２３と検知端子７の接触部３との摺動が解除される。この傾斜面２３と検知端子７の接触部３との摺動解除により、検知端子７の弾性片５が付勢力により下方に向けて変位され、検知端子７の接触部３が弾性片５の付勢力によって相手検知端子１５の被接触部１３に接触される。
【００４９】
なお、第１ハウジング９と第２ハウジング１１とが正規嵌合状態となるまでの間は、ロック部２７が被ロック部４７との干渉によって揺動され、第１ハウジング９と第２ハウジング１１とが正規嵌合状態となったときには、ロック部２７が被ロック部４７による揺動が解除されて復元され被ロック部４７に係止する。
【００５０】
このように第１ハウジング９と第２ハウジング１１とが正規嵌合状態となるまでの間は、摺動変位部１７が検知端子７の弾性片５の付勢力に抗して弾性片５を変位させながら検知端子７の接触部３と常に摺動しているので、接触部３の表面に付着したゴミや埃、或いは接触部３の表面に形成された酸化皮膜などの異物を除去することができる。
【００５１】
加えて、摺動変位部１７は、相手検知端子１５の被接触部１３より第１ハウジング９と第２ハウジング１１との嵌合方向の前側に設けられているので、検知端子７の接触部３と相手検知端子１５の被接触部１３とが接触する前に、検知端子７の接触部３と摺動することができ、第１ハウジング９と第２ハウジング１１との正規嵌合状態で、除去された異物が接触部３や被接触部１３の近傍に堆積することを防止することができる。
【００５２】
このため、第１ハウジング９と第２ハウジング１１とに生じるガタなどの外力によって、検知端子７の接触部３が弾性片５の付勢力に抗して相手検知端子１５の被接触部１３から動いたとしても、接触部３と被接触部１３との間に除去された異物の混入を防止することができ、異物介在による検知端子７と相手検知端子１５との導通不良を防止することができる。
【００５３】
このように構成された嵌合検知コネクタ１は、まず、第１ハウジング９に検知端子７と各部材を組付けると共に、第２ハウジング１１に一対の相手検知端子１５，１５と各部材を組付ける。次に、第１ハウジング９と第２ハウジング１１とを嵌合させる。
【００５４】
第１ハウジング９と第２ハウジング１１とが嵌合を開始してから嵌合途中までは、第１ハウジング９の開口部３３から挿入された第２ハウジング１１のリブ１９によって、検知端子７の一対の接触部３，３と摺動変位部１７とが摺動し、検知端子７の弾性片５，５が上方に変位される。
【００５５】
この検知端子７の弾性片５，５の変位により、検知端子７の一対の接触部３，３と一対の相手検知端子１５，１５の被接触部１３，１３とが離間される。この接触解除により、検知端子７と一対の相手検知端子１５，１５との導通が防止され、第１ハウジング９と第２ハウジング１１との半嵌合状態を検知することができる。
【００５６】
このとき、検知端子７の一対の接触部３，３は、摺動変位部１７の傾斜面２１と頂面５７と傾斜面２３とに常に摺動しているので、検知端子７の一対の接触部３，３の表面の異物が除去される。
【００５７】
そして、第１ハウジング９と第２ハウジング１１とが正規嵌合状態となったときには、検知端子７の一対の接触部３，３と摺動変位部１７との摺動が解除され、検知端子７の弾性片５，５が下方に変位される。
【００５８】
この検知端子７の弾性片５，５の変位により、弾性片５，５の付勢力によって一対の接触部３，３が一対の相手検知端子１５，１５の被接触部１３，１３に接触される。この接触により、検知端子７を介して一対の相手検知端子１５，１５が導通され、第１ハウジング９と第２ハウジング１１とが正規嵌合状態となったことを検知することができる。
【００５９】
このような嵌合検知コネクタ１では、第２ハウジング１１に設けられた摺動変位部１７が、第１ハウジング９と第２ハウジング１１とが正規嵌合状態となるまでの間に検知端子７の接触部３と摺動して弾性片５の付勢力に抗して弾性片５を変位させるので、検知端子７の接触部３に付着したゴミや埃などの異物を除去することができる。
【００６０】
また、摺動変位部１７は、第１ハウジング９と第２ハウジング１１とが正規嵌合状態となるまでの間、すなわち相手検知端子１５の被接触部１３が検知端子７の接触部３に接触される前に、接触部３に付着した異物を除去するので、第１ハウジング９と第２ハウジング１１とが正規嵌合状態となったときに、接触部３と被接触部１３との近傍に除去された異物が堆積されることがない。
【００６１】
従って、このような嵌合検知コネクタ１では、外力などによって検知端子７の接触部３が相手検知端子１５の被接触部１３から動いたとしても、接触部３と被接触部１３との間の異物の混入を抑制することができ、検知端子７と相手検知端子１５との導通信頼性を向上することができる。
【００６２】
一方、第１ハウジング９と第２ハウジング１１とを嵌合させる場合には、第２ハウジング１１に設けられた摺動変位部１７によって検知端子７の弾性片５を変位させることができ、検知端子７の接触部３と相手検知端子１５の被接触部１３とを弾性片５の付勢力によって接触、或いは非接触にさせることができる。
【００６３】
このため、摺動変位部１７による検知端子７の弾性片５の変位により、第１ハウジング９と第２ハウジング１１との嵌合状態に合わせて検知端子７と相手検知端子１５との導通状態を操作することができ、第１ハウジング９と第２ハウジング１１との嵌合状態を確実に検知することができる。
【００６４】
また、摺動変位部１７は、相手検知端子１５の被接触部１３を支持するリブ１９の先端に設けられているので、相手検知端子１５の被接触部１３が検知端子７の接触部３に接触される前に、摺動変位部１７と検知端子７の接触部３とを確実に摺動させることができる。
【００６５】
さらに、摺動変位部１７には、第１ハウジング９と第２ハウジング１１との嵌合方向の両端側にそれぞれ傾斜面２１，２３が形成されているので、摺動変位部１７と検知端子７の接触部３との摺動と摺動解除、及び摺動変位部１７による検知端子７の弾性片５の変位をスムーズに行うことができる。
【００６６】
なお、本発明の実施の形態に係る嵌合検知コネクタでは、第２ハウジングのリブに摺動変位部を設けているが、これに限らず、相手検知端子の被接触部が検知端子の接触部に接触される前に、摺動変位部と検知端子の接触部が摺動できる構造であれば、摺動変位部を第２ハウジングのどの位置に設けてもよい。
【００６７】
また、摺動変位部は、２つの傾斜面と、頂面とから構成されているが、これに限らず、例えば、連続する曲面状に構成するなど、第１ハウジングと第２ハウジングとが正規嵌合状態となるまでの間に、常に摺動変位部と検知端子の接触部とが摺動できる形状であれば、摺動変位部の形状はどのようなものであってもよい。
【符号の説明】
【００６８】
１…嵌合検知コネクタ
３…接触部
５…弾性片
７…検知端子
９…第１ハウジング
１１…第２ハウジング
１３…被接触部
１５…相手検知端子
１７…摺動変位部
１９…リブ
２１，２３…傾斜面
【図１】
2015026511.tif 000003
【図２】
2015026511.tif 000004
【図３】
2015026511.tif 000005
【図４】
2015026511.tif 000006
【図５】
2015026511.tif 000007
【図６】
2015026511.tif 000008
【図７】
2015026511.tif 000009
【図８】
2015026511.tif 000010
【図９】
2015026511.tif 000011
【図１０】
2015026511.tif 000012